(57)【特許請求の範囲】
【請求項１】
長尺状の戸当り本体と、前記本体の戸枠側の面において戸が当接する側から延出し戸当り本体の長手方向に延びる戸当り側嵌入脚と、前記戸枠側の面において戸が当接する側とは反対側から延出し戸当り本体の長手方向に延びる非戸当り側嵌入脚とを具備し、前記戸当り側嵌入脚は戸が当接する側の面に延出し前記長手方向に延びる先端が突出端となっている外圧接爪及び前記戸が当接する面とは反対側の面に延出し戸当り本体の長手方向に延びる先端が突出端となっている内圧接爪を具備し、かつ前記外圧接爪の突出端は前記内圧接爪の突出端よりも戸枠側に位置しており、それにより前記した内外両圧接爪の突出端の位置にはズレがあり、前記非戸当り側嵌入脚は戸が当接する側の面に延出し前記長手方向に延びる先端が突出端となっている内圧接爪を具備し、前記戸当り側嵌入脚の前記した内外両圧接爪の突出端の位置のズレにより、外圧接爪の突出端が嵌入溝の壁面を強く圧接することの反動として、内圧接爪は嵌入溝の非戸当たり側壁面を圧接することを特徴とする、前記した両嵌入脚を前記戸枠の個別の嵌入溝にそれぞれ挿入することによって戸枠に固着する戸当り具。
【請求項２】
戸当り側嵌入脚の外圧接爪の突出端と内圧接爪の突出端との両嵌入脚の延びる方向における間隔が３ｍｍ以上である請求項１に記載の戸当り具。
【請求項３】
戸当り側嵌入脚の外圧接爪は嵌入脚の戸が当接する側の面から外側に突出すると同時に戸枠側にも突出しており、かつ前記外圧接爪の突出端が戸枠側に最も近接する位置にまで延びている請求項１又は２に記載の戸当り具。
【請求項４】
戸当り側嵌入脚の内圧接爪及び外圧接爪がそれぞれ一つである請求項１ないし３のいずれか１項に記載の戸当り具。
【請求項５】
非戸当り側嵌入脚は、戸が当接する面とは反対側の面に延出し戸当り本体の長手方向に延びる先端が突出端となっている外圧接爪を更に具備する請求項１ないし３のいずれか１項に記載の戸当り具。
【請求項６】
非戸当り側嵌入脚は、前記戸当り側嵌入脚と合同の形状を有する請求項５に記載の戸当り具。
【請求項７】
戸当り側嵌入脚は非戸当り側嵌入脚より長い請求項１ないし５のいずれか１項に記載の戸当り具。
【請求項８】
戸当り側嵌入脚と非戸当り側嵌入脚との間の間隔が、先端に行くにしたがい次第に狭くなる請求項１ないし７のいずれか１項に記載の戸当り具。
【請求項９】
長尺状の戸当り本体の短手側断面が四角形又は戸枠側で開放されているコの字形の枠体で形成されている請求項１ないし８のいずれか１項に記載の戸当り具。
【請求項１０】
長尺状の戸当り本体の短手側断面を形成する戸枠側で開放されているコの字形の枠体は、両端から対向して延びる中央部が連続していない小枠片を持ち、その小枠片の両端部に嵌入脚が連接されている請求項９に記載の戸当り具。
【請求項１１】
両嵌入脚は長尺状の戸当り本体を形成する四角形の枠体の戸側面及びその反対側面から戸枠側に連接したものであり、前記枠体と嵌入脚との間に外方に延び、かつ戸当り本体の長手方向に延びるツバを備える請求項９に記載の戸当り具。
【請求項１２】
戸当り側嵌入脚及び非戸当り側嵌入脚が長手方向で連続又は不連続である請求項１ないし１１のいずれか１項に記載の戸当り具。
【請求項１３】
戸当り側嵌入脚の圧接爪、又は非戸当り側嵌入脚の圧接爪が長手方向で連続又は不連続である請求項１ないし１２のいずれか１項に記載の戸当り具。
【発明の詳細な説明】
【技術分野】
【０００１】
本発明は、戸（ドア）が閉じた際に戸を受け止めるために戸枠にビスを使用することなく固定することができる長尺状の戸当り具に関する。
より詳しくは、本発明は、簡易に挿着することができ、かつ戸枠から離脱しがたい戸枠にビスを使用することなく固定することができる、戸の閉止時に戸を受け止めるための長尺状の戸当り具に関する。
【背景技術】
【０００２】
その戸当り具は回動するドアを設置する戸枠に取り付けられるものであり、それは古くから使用されており、戸枠の縦枠に丁番で回動するように取り付けられたドアを丁番が取り付けられた縦枠とは反対側の縦枠においてドアの先端を受け止めるものである。
すなわち、ドアの回動は、丁番が取り付けれた縦枠とは反対側の縦枠においてドア先端が戸当り具に当ることにより停止し、ドアは閉じた状態になるのであり、本発明の戸当り具も同様のものである。
【０００３】
【特許文献１】特開平１１−５０７４７号公報
【特許文献２】特開平７−２５２９７８号公報
【特許文献３】特開平１１−５０７４０号公報
【特許文献４】特開平６−１８５２５４号公報
【０００４】
この戸当り具は古くは細長い長尺状の木製あるいは合成樹脂製で、それを戸枠に形成された溝に嵌め込み、更に木ネジ又は接着剤で固定することにより取り付けられており（特許文献１の従来技術、特に図２４（ｂ）あるいは特許文献４の従来技術、特に図５参照）、施工に手数の掛かるものであった。
そのようなことから、その後合成樹脂製で木ネジを必要とすることなく簡便に装着することができるものが開発された。
【０００５】
それは戸枠に形成された細長い溝に戸当り具が具備する嵌入脚を嵌入するだけで戸当り具が戸枠に装着することができるものであり、その結果木ネジを必要とすることなく簡便に挿着することができるものである。
この樹脂製の戸当り具は、１０〜１５ｍｍ程度の幅広の１本の嵌入溝に挿着するものと、２〜３ｍｍ程度の比較的狭い２本の嵌入溝に挿着するものとの２種に大別することができる。
【０００６】
前者の戸当り具は、長尺状の戸当り本体の戸枠側の面に形成される嵌入脚が幅広の１本で、その長手方向に直交する断面、すなわち短手側断面の幅は１０〜１５ｍｍ程度であり、その嵌入脚が戸枠に形成された前記幅広の１本の嵌入溝に挿着されることにより木ネジを用いることなく戸枠に固定されることができるものである。
このタイプに属する戸当り具は、例えば特許文献２及び３に開示されている。
【０００７】
また、後者の戸当り具は図３に図示されており、本発明と同様に長尺状の戸当り本体６の戸枠側の面に、戸３が当接する側及びそれとは反対側から延びる２本の嵌入脚４を具備するものであり、それら２本の嵌入脚４が、戸枠２に間隔をおいて形成された幅の狭い２本の嵌入溝に挿着されることにより木ネジを用いることなく戸枠２に固定されることができるものである。
その戸枠２への取り付け構造及び戸３との関係は図２に図示されているとおりである。
このタイプに属する戸当り具は、例えば特許文献４及び特許文献１の従来技術（特に特許文献４の図２４（ａ）参照）に開示されている。
【０００８】
その２本の嵌入脚４を具備する戸当り具１は、図３に図示するように嵌入脚４には先端に突出端を持つ前記長手方向に延びる複数の圧接爪５が両面に設けられている。
そのため該嵌入脚が嵌入溝に挿着された際に該圧接爪５が嵌入溝を圧接することにより戸当り具１は戸枠に固定され、戸が閉じられた際にも戸枠から離脱することが回避できる構造となっている。
その結果、戸当り具は圧接爪５と嵌入溝との嵌合だけにより戸枠に固定でき、その取り付け施工は簡便なものとなる。
なお、この図３における７は戸が閉じる際に戸当り具１に強く当るのを緩衝する弾性舌片である。
【０００９】
その２本の嵌入脚を嵌合する嵌入溝は、ダイヤモンドカッター等の溝切工具で切削することにより形成されるものである。
その戸枠への嵌入溝の形成は、一箇所の加工工場で一時に行われるものではなく、多くの施工現場あるいは加工場で長期に亘って行われるものである。
そのため、同一の仕様で溝切り加工が行われても使用する溝切工具は同一のものではなく、かつ加工従事者も同一人というわけにはいかず異なることになる。
【００１０】
そのようなことから、２つの嵌入溝間の間隔及び嵌入溝の幅に多少の差異が生ずることを完全に抑制することは不可能であり、その発生を完全に回避することはできない。
さらに、その溝切工具は使用回数が増加するに従い切削性能が低下し、その性能が低下した溝切工具は研磨することにより切削性能を回復させて利用されるものであるから、研磨回数が増加するにしたがって溝切工具が磨耗し次第に薄くなることは避けられない。
その薄くなった溝切工具を用いて溝切り行った場合には嵌入溝の幅が狭くなることは回避できない。
【発明の開示】
【発明が解決しようとする課題】
【００１１】
以上の通りであるから、２つの嵌入溝間の間隔及び嵌入溝幅を完全に仕様に統一することは不可能であり、仕様からズレた嵌入溝、すなわち公差のある嵌入溝が形成されることは回避できない。
その場合には、戸当り具の嵌入脚が嵌入溝に挿入し難いあるいは離脱し易いという現象が起こることになる。
特に、戸当り具の嵌入脚が嵌入溝から離脱し易くなると、戸が戸当り具に強く当たった場合には、戸当り具が戸枠からはずれ、施行不良という苦情が施主から施行業者に寄せられることになる。
【００１２】
本発明者らは、ドア製造メーカーの従業員であることから、それを取り付け施行する際に不可欠な付属品である戸当り具の前記苦情には無関心というわけにはいかず、それを解消することのできる戸当り具の研究開発にも鋭意努めており、その結果開発に成功したのが本発明である。
したがって、本発明は、このような問題の発生を回避することができる戸当り具、すなわち簡易に挿着することができ、かつ戸枠からより離脱し難い戸当り具を提供することを発明の解決すべき課題とするものである。
【課題を解決するための手段】
【００１３】
本発明は、前記課題を解消した戸当り具を提供するものであり、
その戸当り具は、長尺状の戸当り本体と、前記本体の戸枠側の面において戸が当接する側から延出し戸当り本体の長手方向に延びる戸当り側嵌入脚と、前記戸枠側の面において戸が当接する側とは反対側から延出し戸当り本体の長手方向に延びる非戸当り側嵌入脚とを具備し、前記戸当り側嵌入脚は戸が当接する側の面に延出し前記長手方向に延びる先端が突出端となっている外圧接爪及び前記戸が当接する面とは反対側の面に延出し戸当り本体の長手方向に延びる先端が突出端となっている内圧接爪を具備し、かつ前記外圧接爪の突出端は前記内圧接爪の突出端よりも戸枠側に位置しており、前記非戸当り側嵌入脚は戸が当接する側の面に延出し前記長手方向に延びる先端が突出端となっている内圧接爪を具備することを特徴とするものであり、前記戸枠に形成された嵌入溝に前記嵌入脚を挿入することによって戸枠に固着することができる。
【００１４】
本発明の戸当り具では、戸当り側嵌入脚の外圧接爪は嵌入脚の戸が当接する側の面から外側に延びる突出端を有することが必要である。
なお、その突出端は図１に図示するように外側に湾曲することにより、前記嵌入脚の戸が当接する側の面から外側に突出するのが好ましい。
さらに、非戸当り側嵌入脚は、内圧接爪に加えて戸が当接する面とは反対側の面に延出し戸当り本体の長手方向に延びる先端が突出端となっている外圧接爪を更に具備し、かつ戸当り側嵌入脚と合同の形状を有しているのがよい。
【００１５】
このようにすることにより、戸当り側嵌入脚と非戸当り側嵌入脚とは、同一形状とすることができ、その場合にはいずれの嵌入脚が戸当り側に挿入されても、戸当り具は嵌入溝にしっかりと挿着することができ、嵌入溝から離脱し難くなる。
以上のとおりであるから、この構造の嵌入脚を具備する戸当り具の場合には、戸当り側嵌入脚と非戸当り側嵌入脚とを区別して使用する必要がなくなり、現場施工者の手数を軽減することができ、この点で非常に好ましい。
【００１６】
また、戸当り側嵌入脚は、非戸当り側嵌入脚より長く延ばすこともでき、この場合にはその嵌入脚をまず嵌入溝に挿入することで、戸当り具の装着が簡便に行うことができ、この点で好ましいものではあるが、現場施工者がこのような施工方法に不慣れであり、この構造を採用した場合には、この施工方法を現場に徹底することが必要であり、多少問題がある。
さらに、戸当り側嵌入脚と非戸当り側嵌入脚との間隔が、先端に行くにしたがい次第に狭くなるのが好ましい。
【００１７】
そして、本発明の戸当り具では、長尺状の戸当り本体は、その短手側断面が四角形又は戸枠側で開放されているコの字形の枠体で形成されているのがよく、更にその枠体は戸枠側で開放されているコの字形が好ましく、かつ該枠体は、両端から対向して延びる中央が連続していない小枠片を持ち、その小枠片の両端部に嵌入脚が連接されているのがより好ましい。
また、本発明においては、戸当り側嵌入脚の外圧接爪の突出端は内圧接爪の突出端よりも戸枠側に位置するものであるが、そのズレの間隔、すなわち戸当り側嵌入脚の両突出端の嵌入脚の延びる方向における間隔は３ｍｍ以上であることが好ましい。
【発明の効果】
【００１８】
本発明の戸当り具では、戸当り側嵌入脚に形成される外圧接爪の突出端は内圧接爪の突出端よりも戸枠側にまで延びていることを特徴とするものであり、換言すれば内圧接爪の突出端が外圧接爪の突出端よりも戸当り本体側にあることを特徴とするものである。
そのため戸が閉じて戸当り具に当たった際には、戸が当たった位置から遠く離れた外圧接爪の突出端は嵌入溝の壁面を強く圧接することになる。
また、内外両圧接爪の突出端の位置にはズレがあり、外圧接爪の突出端が嵌入溝の壁面を強く圧接することの反動として、内圧接爪は嵌入溝の非戸当り側壁面を圧接することになる。
【００１９】
その結果として、戸当り具はこれにより嵌入溝にしっかりと挿着することができ、嵌入溝から離脱し難くなるという優れた効果を奏することができる。
すなわち、本発明の戸当り具では、戸が閉じた際には、戸当り本体を押す力が同本体において戸枠の反対側を力点として加わり、そのため該力点から最も遠い位置にある戸当り側嵌入脚の外圧接爪の突出端が嵌入溝の戸当り側壁面を強く圧接し、該突出端は該側壁面を強く押すことなる。
【００２０】
さらに、内外両圧接爪の突出端の位置が回転方向と直交する方向にズレがあることから、該外圧接爪の突出端が支点となり、その位置のズレにより内圧接爪は嵌入溝の非戸当り側壁面を圧接することになる。
その結果、内外両圧接爪の突出端の位置のズレにより両圧接爪は嵌入溝の壁面を強く圧接することができ、戸当り具は嵌入溝にしっかりと挿着することができ、嵌入溝から離脱し難くなるという優れた効果を奏することができるものである。
【発明を実施するための最良の形態】
【００２１】
以下に、本発明を実施するための最良の形態を図面に基づいて詳細に説明するが、本発明はこれによって何ら限定されるものではなく、特許請求の範囲の記載によって特定されるものであることはいうまでもない。
図１は本発明の戸当り具１０を図示するものであって、その図は戸当り具１０の長手方向に直交する方向で切断した断面図である。
【００２２】
本発明の戸当り具１０は、前記したとおりのものであるから、元来丁番が取り付けれた縦枠とは反対側の戸が当たる側の縦枠に取り付けられるものであるが、丁番が取り付けれた縦枠及び上側の横枠にも取り付けるできることはいうまでもない。
また、図示された戸当り具１０は、下記において詳述するとおり戸当り側嵌入脚１２と前記非戸当り側嵌入脚１３とは形状もサイズも同一であり、両者は合同の形状となっている。
【００２３】
その図示された戸当り具１０は、長尺状の戸当り本体１１、前記本体の戸枠側の面において戸が当接する側から延出し戸当り本体の長手方向に延びる戸当り側嵌入脚１２、前記戸枠側の面において戸が当接する側とは反対側から延出し戸当り本体の長手方向に延びる非戸当り側嵌入脚１３を持つ構造となっている。
その戸当り側嵌入脚１２は、戸が当接する側の面に外圧接爪１５と、戸が当接する面とは反対側の面に内圧接爪１６を具備しており、更に前記非戸当り側嵌入脚１３は戸が当接する側の面に延出する内圧接爪１７と、戸が当接する側の面とは反対側の面に外圧接爪１８を具備している。
【００２４】
それらの内外両圧接爪は、先端部がいずれも突出した構造、すなわち突出端を有しており、その突出端は嵌入溝の壁面の方向に延び該壁面を圧接する。
具体的には、該戸当り側嵌入脚１２に設けれた外圧接爪１５は突出端１５ａ、内圧接爪１６は突出端１６ａ、また非戸当り側嵌入脚１３に設けられた内圧接爪１７は突出端１７ａ、外圧接爪１８は突出端１８ａを具備している。
【００２５】
そして、その図示された戸当り具１０においては、その非戸当り側嵌入脚１３は、戸当り側嵌入脚１２と合同の形状となっており、この場合には戸当り側嵌入脚と非戸当り側嵌入脚とを区別して使用する必要がなくなり、現場施工者の手数を軽減することができ、この点で非常に好ましい。
なお、前記のとおりではあるが、その非戸当り側嵌入脚１３については、その構造は特に制限されることはなく各種構造が採用でき、図３に図示された構造のものでもよいし、また図１に図示された構造において外圧接爪１８を欠いた内圧接爪１７のみが存在する構造のものでもよい。
【００２６】
本発明では、該戸当り側嵌入脚１２に設けれた外圧接爪１５の突出端１５ａと、内圧接爪１６の突出端１６ａとを戸当り具の長手方向に直交する方向において積極的にズラすものである。
そのため外圧接爪１５の突出端１５ａが内圧接爪１６の突出端１６ａよりも戸枠側に延びている構造となっており、そのことが本発明の最大の特徴である。
本発明では、そのズレにより戸当り具が戸枠にしっかり装着することができ、戸が回転して戸当り具に当った場合にも、戸当り具が戸枠から離脱することが回避できる優れた作用効果を奏するのである。
【００２７】
すなわち、本発明の戸当り具では、戸が閉じた際には、戸当り本体を押す力が同本体において戸枠の反対側を力点として加わり、そのため該力点から最も遠い位置にある戸当り側嵌入脚の外圧接爪の突出端が嵌入溝の戸当り側面を強く圧接し、該突出端は該側面を強く押すことなる。
さらに、内外両圧接爪の突出端の位置が回転方向（戸当り具の長手方向）と直交する方向にズレがあることから、該外圧接爪の突出端が支点となり、その位置のズレにより内圧接爪は嵌入溝の非戸当り側壁面を圧接することになる。
【００２８】
その結果、内外両圧接爪の突出端の位置のズレにより両圧接爪は嵌入溝の壁を強く圧接することができ、戸当り具は嵌入溝にしっかりと挿着することができ、嵌入溝から離脱し難くなるという優れた効果を奏することができるものである。
なお、前記のとおりであるから、戸当り側嵌入脚１２に設ける内外両圧接爪に関しては、前記ズレによる嵌入溝の壁面を圧接する機能を損なわない限り、それぞれ複数設けてもよい。
また、非戸当り側嵌入脚１３に設けられた内圧接爪１７の数に関しても同様であり、更に前記機能を損なわない限り、非戸当り側嵌入脚１３にも外圧接爪を設けてもよい。
【００２９】
本発明の戸当り具における戸当り本体１１の形状については、長尺状であれば特に限定されることはないが、その長手方向に直交する断面、すなわち短手側断面が四角形又は戸枠側で開放されているコの字形の枠体１４で形成されているのがよく、押出成形に好適な点で図１に図示するような戸枠側で開放されているコの字形の枠体１４で形成されているのが好ましい。
その場合には、枠体１４の開放されている側に、両端から対向して延びる中央部が連続していない小枠片１４ａを持ち、その小枠片の両端部に戸当り側嵌入脚１２と非戸当り側嵌入脚１３が連接されているのが好ましい。
【００３０】
前記したとおり戸当り本体１１の短手側断面の枠体の形状はコの字形が好ましいが、四角形も採用できることは前記したとおりであり、その場合にも、両嵌入脚１２、１３は、装飾性の点でコの字形枠体と同様の位置、すなわち枠体の戸枠側面の両端部から多少内側に入った位置から戸枠側に伸びるように連接するのがよい。
前記した場合においては、両嵌入脚１２、１３は、枠体の戸枠側面の両端部から戸枠側に延びるのではなく、その両端部から多少内側に入った位置から延びるが、両嵌入脚１２、１３は前記両端部から戸枠側に延びるように連接することができることは勿論である。
なお、その場合には、両嵌入脚１２、１３の枠体取り付け部には、装飾性の点で前記枠体と嵌入脚との間に外方に延び、かつ戸当り本体の長手方向に延びるツバを備えるのがよい。
【００３１】
本発明の戸当り具を製造する際に使用する素材に関しては、戸当り本体及び嵌入脚を含む全体を押し出し成形することにより一体成形することができるから、硬質合成樹脂が好ましい。
また、その際の素材の肉厚は、嵌入溝に挿入する際に多少弾性がある方が挿着時の取扱い性に優れているので、使用する合成樹脂素材の種類あるいは同素材でも可塑剤等の添加材によっては多少差異があるものの０．５〜３．０ｍｍがよく、好ましくは１．０〜１．５ｍｍ程度がよい。
さらに、戸当り本体の戸当り側の面には、戸の戸当り具の衝撃を緩和するために図２に図示するように軟質の樹脂が付設されているのがよい。
なお、戸当り具に使用する樹脂素材については特に制限されることなく各種のものが使用でき、それにＡＢＳ、ポリ塩化ビニール、ポリエチレンあるいはポリプロピレン等が例示できる。
【００３２】
本発明においては、該外圧接爪１５の突出端１５ａは、戸当り側に延出すると共に内圧接爪１６の突出端１６よりも戸枠側に位置することが必要である。
さらに、該外圧接爪１５の突出端１５ａは、戸当り側に延出すると共に戸枠側にも延出しているのがよく、図１に図示するように外圧接爪の中で最も戸枠に近接するように延びているのが特に好ましい。
その両突出端のズレ、すなわち外圧接爪１５の突出端１５ａと、内圧接爪１６の突出端１６ａとの戸当り本体の短手方向の間隔は１ｍｍ以上であるのがよく、好ましくは５ｍｍ以上がよい。
【００３３】
本発明における外圧接爪の構造については、前記したとおり戸当り側嵌入脚から突出し、その突出端１５ａが内圧接爪１６の突出端１６ａよりも戸枠側に延びている限り各種の構造が採用できるのであり、それは図１に限定されるものではなく、図４の（ａ）、（ｂ）及び（ｃ）に図示した構造も勿論採用できる。
また、両圧接爪の先端構造については、内圧接爪１６の突出端１６ａは、図１及び図４に図示するように先が尖った構造（＜型の構造）、すなわち尖端構造が好ましいが、外圧接爪１５の突出端１５ａも内圧接爪１６の突出端１６ａと同様の構造でもよいが、挿入時の抵抗を軽減できる点で図１に図示するように先に丸味がある構造の方が好ましい。
【００３４】
本発明においては、戸当り側嵌入脚は、非戸当り側嵌入脚より長くしてもよく、その場合には、以下のとおりに挿入することにより挿着性に優れたものとすることができる。
すなわち、戸当り具を戸枠に対して斜めにした状態で、戸当り側嵌入脚の先端をまず嵌入溝に挿入し、次いで戸当り具を戸枠に対して水平に起こして非戸当り側嵌入脚を該当する嵌入溝に挿入することで戸当り具を嵌入溝に簡便、かつ的確に挿着することができる。
なお、この挿着方法は、これまでの手法とは異なっており、この利点を活かすためには施工業者に施工仕様を周知徹底することが必要となる。
嵌入脚を形成する材料については、前記したとおり戸当り本体と同様に弾性のある材料、例えば肉厚の薄い硬質合成樹脂で形成するのが好ましい。
【００３５】
また、戸当り側嵌入脚と非戸当り側嵌入脚との間隔は先端、すなわち戸枠側に近い部分に行くに従い次第に細くなるのが好ましい。
このように先端を次第に細くして弾性のある材料を使用した場合には、まず戸当り側嵌入脚を嵌入溝に挿入し、ついで非戸当り側嵌入脚を戸枠に押し付けるようにしながら、両嵌入脚間の間隔を押し広げるようにして残る非戸当り側嵌入脚を嵌入溝に挿入することができる。
このようにして両嵌入脚を嵌入溝に挿着することにより、両嵌入脚の内圧接爪１６の突出端１６ａ及び１７の突出端１７ａは嵌入溝の内壁を常時圧接することができ、戸当り具は、嵌入溝にしっかり装着することができ、離脱し難くなる。
【００３６】
なお、戸当り側嵌入脚及び非戸当り側嵌入脚の長手方向については、連続していても、逆に不連続であってもよい、
さらに、それら嵌入脚に形成される圧接爪についても、長手方向に連続していてもよいが、逆に一部において圧接爪が欠落している不連続であってもよい。
その不連続の圧接爪は、戸当り具を押し出し成形する際に製造工程を多少改変することにより比較的簡単に製造できる。
【００３７】
例えば、押し出し成形直後のまだ塑性変形可能な時点において、押出成形機から取り出された戸当り具の圧接爪の長手方向に沿って回転することができる円板状カムあるいは円周方向が一部欠落している円板ロールを押し付けることにより製造することができる。
すなわち、円板状カムも円板ロールも中心から外周までの距離が一定ではなく、短い部分と長い部分とがある。
そのため、短い部分の外周は圧接爪に接触せず、それを押しつぶすことができないのであり、この差異を利用することにより欠落部のある圧接爪を形成することができる。
【図面の簡単な説明】
【００３８】
【図１】本発明の戸当り具の長手方向に直交する断面図。
【図２】従来技術における戸当り具の戸枠への取り付け構造を示す図。
【図３】従来の戸当り具の構造を示す図。
【図４】本発明の戸当り具の変形態様を示す図。
【符号の説明】
【００３９】
１０      戸当り具
１１      戸当り本体
１２      戸当り側嵌入脚
１３      非戸当り側嵌入脚
１４      枠体
１５      戸当り側嵌入脚の外圧接爪
１５ａ    該外圧接爪の突出端
１６      戸当り側嵌入脚の内圧接爪
１６ａ    該内圧接爪の突出端
１７      非戸当り側嵌入脚の内圧接爪
【図１】
0004684035.tif 000002
【図２】
0004684035.tif 000003
【図３】
0004684035.tif 000004
【図４】
0004684035.tif 000005